(57)【要約】【課題】継続的な低遅延通信の実施と無線区間のリソースの利用効率を向上することができるシステム及び方法並びにプログラムを提供する。【解決手段】基地局は、ＢｅｓｔＥｆｆｏｒｔ（ＢＥ）通信用キュー１０１と低遅延通信用キュー１０２とを備えるとともに、ＤｉｆｆＳｅｒｖの仕組みを有する。また、無線区間における低遅延通信パケットのリソース占有量を測定するリソース占有量測定部２７１と、同パケットの遅延時間を測定する遅延時間測定部２７２と、同パケットのパケットロス率を測定するパケットロス率測定部２７３とを備える。パケット監視部２８０は、測定結果に基づき、パケット廃棄部２３０及びパケットスケジューリング部２５０に対してパケット廃棄率・送出レートを指示する。【選択図】図４
2018067753.tif 000002
【特許請求の範囲】
【請求項１】
ユーザ端末を収容する基地局と、基地局を収容するコアネットワークとを備えた移動網において、ユーザ端末と基地局間の無線区間におけるリソース利用効率を向上させるシステムであって、
前記基地局は、
低遅延通信パケットを収容する低遅延通信用キューと、
ＢｅｓｔＥｆｆｏｒｔ（ＢＥ）通信パケットを収容するＢＥ通信用キューと、
サーバから受信したパケットを少なくとも低遅延通信パケットとＢＥ通信パケットとに分類するパケット分類部と、
前記パケット分類部で分類されたパケットを廃棄するパケット廃棄部と、
前記パケット廃棄部で廃棄されなかったパケットに対して前記パケット分類部で分類された分類結果をマーキングして前記低遅延用通信用キュー又は前記ＢＥ通信用キューに入力するパケットマーキング部と、
前記低遅延用通信用キュー及び前記ＢＥ通信用キューからパケットを取り出すパケットスケジューリング部と、
無線通信区間における低遅延通信パケットの通信状態をリアルタイムに測定するパケット状態測定部と、
前記パケット状態測定部による測定結果に基づき前記パケット廃棄部に対してパケット廃棄ポリシーを指示するとともに前記パケットスケジューリング部に対してスケジューリングを指示するパケット監視部とを備えた
ことを特徴とする無線区間のリソース利用効率向上システム。
【請求項２】
前記パケット状態測定部は、前記低遅延通信用キューに対するパケットの入出力状態をもって無線通信区間における低遅延通信パケットの通信状態を測定する
ことを特徴とする請求項１記載の無線区間のリソース利用効率向上システム。
【請求項３】
前記パケット状態測定部は、無線区間における低遅延通信パケットの、リソース占有量を測定するリソース占有量測定部と、遅延時間を測定する遅延時間測定部と、パケットロス率を測定するパケットロス率測定部とを備えた
ことを特徴とする請求項１又は２記載の無線区間のリソース利用効率向上システム。
【請求項４】
前記パケット監視部は、低遅延通信パケットに要求される遅延時間及びパケットロス率を満たすよう前記パケット廃棄部及び前記パケットスケジューリング部に指示する
ことを特徴とする請求項１乃至３何れか１項記載の無線区間のリソース利用効率向上システム。
【請求項５】
前記パケット監視部は、ＢＥ通信パケットに新たに割り当て可能な無線区間のリソースを算出し、該算出結果に基づき前記パケット廃棄部に対してＢＥ通信パケットのパケット廃棄ポリシーを指示するとともに前記パケットスケジューリング部に対してＢＥ通信パケットのスケジューリングを指示する
ことを特徴とする請求項１乃至４何れか１項記載の無線区間のリソース利用効率向上システム。
【請求項６】
ユーザ端末を収容する基地局と、基地局を収容するコアネットワークとを備えた移動網において、ユーザ端末と基地局間の無線区間におけるリソース利用効率を向上させるシステムであって、
前記基地局は、低遅延通信パケットを収容する低遅延通信用キューと、ＢｅｓｔＥｆｆｏｒｔ（ＢＥ）通信パケットを収容するＢＥ通信用キューとを備え、
パケット分類部が、サーバから受信したパケットを少なくとも低遅延通信パケットとＢＥ通信パケットとに分類する第１のステップと、
パケット廃棄部が、前記第１のステップで分類されたパケットを廃棄する第２のステップと、
パケットマーキング部が、前記第２のステップで廃棄されなかったパケットに対して前記第１のステップで分類された分類結果をマーキングして前記低遅延用通信用キュー又は前記ＢＥ通信用キューに入力する第３のステップと、
パケットスケジューリング部が、前記低遅延用通信用キュー及び前記ＢＥ通信用キューからパケットを取り出す第４のステップと、
パケット状態測定部が、無線通信区間における低遅延通信パケットの通信状態をリアルタイムに測定する第５のステップと、
パケット監視部が、前記第５のステップによる測定結果に基づき前記パケット廃棄部に対してパケット廃棄ポリシーを指示するとともに前記パケットスケジューリング部に対してスケジューリングを指示する第６のステップとを備えた
ことを特徴とする無線区間のリソース利用効率向上方法。
【請求項７】
コンピュータを請求項１に記載の基地局内の各部として機能させる
ことを特徴とする無線区間のリソース利用効率向上プログラム。
【発明の詳細な説明】
【技術分野】
【０００１】
本発明は、基地局と端末間で送受信されるパケットの中で低遅延通信パケットを優先制御するシステムが導入された場合に、無線区間のリソース利用効率を向上させるシステムおよびその方法に関する。
【背景技術】
【０００２】
５Ｇ通信の特徴的なサービスの一つに、低遅延性を活かしたＭｉｓｓｉｏｎ  Ｃｒｉｔｉｃａｌサービスが想定されている。一方で、通信業界全体でＩｏＴ（Internet of Things）の活用が促進される背景もあり、低遅延通信を用いた早期のサービス実現形態として、例えばドローン端末の遠隔制御を既存のＬＴＥ網上で実施する検討も開始されている（非特許文献１参照）。ドローン端末のモバイル網での制御に要求されるエンドツーエンドでの遅延時間は片道で５０ｍｓ未満とされており、アプリケーションやコアＮＷ（Network）での遅延を考慮すると、無線アクセス区間での遅延時間は１０ｍｓ程度が要求条件になると考えられる。
【０００３】
この要求条件を満足させるために提案されている手法の一つとして、伝搬遅延の低遅延化に有効と考えられるエッジコンピューティングの概念が挙げられる（非特許文献２参照）。これまでのクラウドコンピューティング（図１（ａ））とは異なり、エッジコンピューティング（図１（ｂ））とは、多数の小規模データセンタ（エッジサーバ）をユーザ近接地に配置し、近隣で発生するデータを各エッジサーバで分散処理した上で、インターネット上に集約されたクラウドコンピューティングと連携させるものである。エッジコンピューティングでは物理的にユーザに近い場所でデータ処理を行うため、ネットワークの上位階梯（インターネット、クラウド）を通して通信を行う場合と比べて伝搬遅延を短縮することが可能となる。
【０００４】
一方で、ネットワークサービスを円滑に提供するための仕組みとして、トラフィックのクラス分けにより優先度を決定し、パケットルーティングを制御することでＱｏＳ（Quality of Service）を保証するＤｉｆｆＳｅｒｖがある（非特許文献３参照）。
【０００５】
ＤｉｆｆＳｅｒｖでは図２に示すように、はじめにルーターに到着したパケットがクラシファイアによってクラス分けされる。通常のＩＰパケットでは、ソースアドレス、ソースポート、ディステネーションアドレス、ディステネーションポート、プロトコルの５つの値を使って、パケットのクラス分けを実施（ファイアウォールのパケットフィルタと同様）するが、このクラス分け手法は検索コストが高いため、ＤｉｆｆＳｅｒｖのクラス分けではＩＰヘッダの中のＴＯＳ（Type Of Services）フィールドを定義し、それが利用される。
【０００６】
クラシファイアによって転送されるパケットがトラフィックのプロファイルに対応するかどうかをメーターが判定し、規定以上のパケット入力がないかをポリサーが監視するとともに、もし規定以上の入力があった場合には超過パケットを破棄する。続いて、マーカーが、送られてきたパケットにＤｉｆｆＳｅｒｖ（ＤＳ）フィールドを設定する。ＤＳフィールドは、ＤＳＣＰ（DiffServ Code Point）を書き込むためのパケット内領域であり、ＤＳＣＰはＤｉｆｆＳｅｒｖにおいてパケットのクラス分けを行った結果の値を示す。
【０００７】
最後に、スケジューラーによって、パケットが属するクラスに応じたレートでパケットルーティングが実施される。このとき、トラフィックの流れを当該トラフィックのプロファイルに準拠させるため、そのトラフィック内のパケットの一部あるいは全てを遅らせる、すなわちシェーピングも行われる。このため、この役割に着目した場合、スケジューラーはシェイパーと呼ばれることもある。シェイパーのバッファーサイズは限られているため、遅延パケットを保持するためのスペースがない場合は、結果的にパケットが廃棄される場合もある。
【０００８】
第３．９世代移動通信システムであるＬＴＥ（Long Term Evolution）回線を利用した音声通話システムであるＶｏＬＴＥ（Voice over LTE）では、このＱｏＳ制御機構を活用している。例えば、音声通話に関しては、９段階設定されたＱＣＩ（QoS Class Identifier）の１（遅延許容値１００ｍｓかつ帯域保証型）にクラス分けされた通信として扱われるため、安定した低遅延通信を利用した通話が可能であるとされている。
【先行技術文献】
【非特許文献】
【０００９】
【非特許文献１】"Mission Critical Data services over LTE", Release 14, 3GPP TS 22.282 V0.1.0, 2016年2月
【非特許文献２】"Mobile-Edge Computing - Introductory Technical White Paper", ETSI ISG MEC, Issue 1, 2014年9月
【非特許文献３】D.Black, 他1名, "Differentiated Services (Diffserv) and Real-Time Communication", IETF, RFC765, 2015年11月
【発明の概要】
【発明が解決しようとする課題】
【００１０】
エッジコンピューティングを導入することによって伝搬遅延を低遅延化できたとしても、ユーザ端末（ＵＥ：User Equipment）とデータを送受信する基地局内で通信パケット量が増加した場合、エンドツーエンドの遅延において基地局内のパケットキューイングによる遅延時間が支配的要因になりうるため、安定した低遅延通信を継続的に行うことができなくなるケースが想定される。一方、ＶｏＬＴＥのように低遅延通信を利用したサービスのＱｏＳを保証するためにＤｉｆｆＳｅｒｖを導入すると、優先度の高いパケットは常に低遅延となるものの、あらかじめ決められたポリシーに従ってパケットのクラス分けや廃棄を実施するだけである。このため、優先度の高いパケットが発生していないときにもあらかじめ決められたポリシーに従って無線区間のリソースを確保しておく必要があるので、リソースの利用効率が低下してしまう。
【００１１】
本発明は上記事情に鑑みてなされたものであり、その目的とするところは、継続的な低遅延通信の実施と無線区間のリソースの利用効率を向上することができるシステム及び方法並びにプログラムを提供することにある。
【課題を解決するための手段】
【００１２】
上記課題を解決するために、本発明の無線区間のリソース利用効率向上システムは、基地局内にＢｅｓｔＥｆｆｏｒｔ（ＢＥ）通信用のキューと低遅延通信用のキューとを具備し、またＤｉｆｆＳｅｒｖの仕組みを利用することを特徴とする。さらに、低遅延通信用キューから送出されるパケットが占有する無線区間のリソース量と遅延時間、パケットロス率をリアルタイムに監視し、その結果をポリシングおよびスケジューリングにフィードバックすることを特徴とする。
【００１３】
より具体的には、本発明の無線区間のリソース利用効率向上システムは、基地局内にＢｅｓｔＥｆｆｏｒｔ（ＢＥ）通信用のキューと低遅延通信用のキューとを具備するとともに、ＢＥ通信パケットと低遅延通信パケットを分類するクラシファイアと、トラフィックの性質と分量、低遅延通信用キューから送出されるパケットが占有する無線区間のリソース量と遅延時間、パケットロス率をリアルタイムに監視するメーターと、メーターからの指示に従ってパケットを廃棄するポリサーと、クラシファイアで分類された結果を通信パケットにマークとして書き込むマーカーと、通信パケットに書き込まれたマークとメーターからの指示に応じたレートでキューからパケットを出力させるスケジューラーとで構成されるＱｏＳ制御機能を具備し、メーターが取得した情報をポリサーによるポリシングおよびスケジューラーによるスケジューリングにリアルタイムにフィードバックすることで、ＢＥ通信に割り当てる無線区間のリソースをリアルタイムに変化させられる点を特徴とする。
【００１４】
換言すれば、本発明は、ユーザ端末を収容する基地局と、基地局を収容するコアネットワークとを備えた移動網において、ユーザ端末と基地局間の無線区間におけるリソース利用効率を向上させるシステムであって、前記基地局は、低遅延通信パケットを収容する低遅延通信用キューと、ＢｅｓｔＥｆｆｏｒｔ（ＢＥ）通信パケットを収容するＢＥ通信用キューと、サーバから受信したパケットを少なくとも低遅延通信パケットとＢＥ通信パケットとに分類するパケット分類部と、前記パケット分類部で分類されたパケットを廃棄するパケット廃棄部と、前記パケット廃棄部で廃棄されなかったパケットに対して前記パケット分類部で分類された分類結果をマーキングして前記低遅延用通信用キュー又は前記ＢＥ通信用キューに入力するパケットマーキング部と、前記低遅延用通信用キュー及び前記ＢＥ通信用キューからパケットを取り出すパケットスケジューリング部と、無線通信区間における低遅延通信パケットの通信状態をリアルタイムに測定するパケット状態測定部と、前記パケット状態測定部による測定結果に基づき前記パケット廃棄部に対してパケット廃棄ポリシーを指示するとともに前記パケットスケジューリング部に対してスケジューリングを指示するパケット監視部とを備えたことを特徴とする。
【発明の効果】
【００１５】
本発明によれば、基地局内にＢＥ通信用のキューと低遅延通信用のキューを具備し、ＤｉｆｆＳｅｒｖの仕組みを利用しているので、ユーザ端末とデータを送受信する基地局内でＢＥ通信パケット量が増加した場合に生じうるパケットキューイングによる遅延時間を回避して、低遅延通信を継続的に実施できる。また、低遅延通信用キューから送出されるパケットが占有する無線区間のリソース量と遅延時間、パケットロス率をリアルタイムに監視し、その結果をポリシングおよびスケジューリングにフィードバックしているので、ＢＥ通信に割り当てる無線区間のリソースをリアルタイムに変化させることを可能にする。これにより、低遅延通信パケットの優先制御システムが導入された場合においても、無線区間のリソース利用効率を低下させずに、低遅延通信とＢＥ通信を両立できる。ＢＥ通信に対する無線区間のリソース割り当てのリアルタイム制御により、無線区間のリソース利用効率の低下の課題を克服する。
【図面の簡単な説明】
【００１６】
【図１】エッジコンピューティングを説明する図
【図２】ＤｉｆｆＳｅｒｖの仕組みを説明する図
【図３】リソース利用効率向上システムの構成図
【図４】リソース利用効率向上システムの機能ブロック図
【図５】リソース利用効率を向上させるシステムのフロー図
【図６】パケット監視部の作動フロー図
【発明を実施するための形態】
【００１７】
本発明の一実施の形態に係る無線区間のリソース利用効率向上システムについて図面を参照して説明する。図３に本発明における無線区間のリソース利用効率向上システムの構成図を示し、図４に本発明における無線区間のリソース利用効率向上システムの機能ブロック図を示す。
【００１８】
本発明は、無線通信端末であるユーザ端末１を収容する基地局１０と、各基地局１０を収容するコアネットワーク（図示省略）とを有する移動網を前提とする。移動網は、例えばＬＴＥ（Long Term Evolution）など周知の種々のアーキテクチャを用いることができる。コアネットワークは、外部ネットワークの１つであるインターネットと所定のゲートウェイを介して接続することができる。
【００１９】
ユーザ端末１の通信相手先であるサーバ２０の配備位置は不問である。すなわち、サーバ２０は、インターネット上のサーバ（インターネットに接続されたクラウド上のサーバを含む）であってもよいし、図１を参照して前述したエッジコンピューティング（ＥＣ）の概念を導入したエッジサーバであってもよい。
【００２０】
本発明の構成上の特徴点は、図３に示すように、基地局１０にＢｅｓｔＥｆｆｏｒｔ（ＢＥ）通信用のキュー１０１と低遅延通信用のキュー１０２とを具備したこと、低遅延通信パケットの優先制御を行ってＱｏＳを保証するためにＤｉｆｆＳｅｒｖの仕組みを導入したことである。すなわち、基地局１０は、ＢＥ通信パケットと低遅延通信パケットを分類するクラシファイア１１０と、トラフィックの性質と分量、低遅延通信用キューから送出されるパケットが占有する無線区間のリソース量と遅延時間、パケットロス率をリアルタイムに監視するメーター１２０と、メーター１２０からの指示に従ってパケットを廃棄するとともにクラシファイアで分類された結果を通信パケットにマークとして書き込むポリサー／マーカー１３０と、通信パケットに書き込まれたマークとメーター１２０からの指示に応じたレートでキューからパケットを出力させるスケジューラー１４０とで構成されるＱｏＳ制御機能を具備している。
【００２１】
次に、本発明のより具体的な構成及び機能について図４を参照して説明する。本発明に係るリソース利用効率向上システムは、図４に示すように、ＢＥ通信用キュー１０１及び低遅延通信用キュー１０２と、サーバ２０からパケットを受信するパケット受信部２１０と、受信したパケットを少なくとも低遅延通信パケットとＢＥ通信パケットとに分類するパケット分類部２２０と、パケット分類部で分類されたパケットを廃棄するパケット廃棄部２３０と、パケット廃棄部２３０で廃棄されなかったパケットに対して前記分類結果をマーキングして低遅延用通信用キュー１０２又はＢＥ通信用キュー１０１に入力するパケットマーキング部２４０と、低遅延用通信用キュー１０２及びＢＥ通信用キュー１０１からパケットを取り出すパケットスケジューリング部２５０と、取り出されたパケットをユーザ端末１に向けて送出するパケット送出部２６０を備えている。
【００２２】
さらに、本発明に係るリソース利用効率向上システムは、無線通信区間における低遅延通信パケットの通信状態をリアルタイムに測定する手段として、リソース占有量測定部２７１と、遅延時間測定部２７２と、パケットロス率測定部２７３とを備えている。また、本発明に係るリソース利用効率向上システムは、リソース占有量測定部２７１・遅延時間測定部２７２・パケットロス率測定部２７３による測定結果に基づきパケット廃棄部２３０に対してパケット廃棄ポリシーを指示するとともにパケットスケジューリング部２５０に対してスケジューリングを指示するパケット監視部２８０を備えている。
【００２３】
上記の各構成は、ハードウェアとして実装してもよいし、プログラムをコンピュータにインストールすることにより実装してもよい。
【００２４】
本発明では、前記リソース占有量測定部２７１が低遅延通信用キュー１０２のリソース占有量を常時測定し、遅延時間測定部２７２が低遅延通信用キュー１０２の遅延時間を常時測定し、パケットロス率測定部２７３が低遅延通信用キュー１０２のパケットロス率を測定している。
【００２５】
パケット監視部２８０は、前記測定結果を基に、低遅延通信パケットに要求される遅延時間とパケットロス率を達成しつつ、使用していない無線区間のリソースをＢＥ通信に割り当てられるようにするため、パケット分類部２２０から低遅延通信パケットおよびＢＥ通信パケットの流量を把握し、パケット廃棄部２３０に廃棄するパケット量を指示し、パケットマーキング部２４０からパケット廃棄後の低遅延通信パケットおよびＢＥ通信パケットの流量を確認し、パケットスケジューリング部２５０にパケットの送出レートを指示する。
【００２６】
また、パケット監視部２８０は、パケット流量と無線区間のリソース占有量、遅延時間、パケットロス率の関係をあらかじめデータベース（図示省略）化して保持しており、そのデータベースとリソース占有量測定部２７１、遅延時間測定部２７２およびパケットロス率測定部２７３から送られてくる測定結果を照合することで、パケット廃棄部２３０に指示するパケット廃棄量およびパケットスケジューリング部２５０に指示するパケットの送出レートを決定する。
【００２７】
次に、サーバ２０からユーザ端末１に基地局１０経由で低遅延通信パケットが送信されているときに、ＢＥ通信パケットに割り当てられる無線区間のリソース量を変化させる際のフローを説明する。図５に無線区間のリソース利用効率を向上させるシステムのフロー図、図６にはパケット監視部の作動フロー図を示す。
【００２８】
図５に示すように、まずサーバから送信された低遅延通信パケットが基地局１０のパケット受信部２１０によって受信される（ステップＳ１）。受信された低遅延通信パケットはパケット分類部２２０によってＢＥパケットと区別される（ステップＳ２）。その後、パケット廃棄部２３０がパケット監視部２８０の指示に従って要求されている遅延時間、パケットロス率を満たすようにパケットを廃棄し（ステップＳ３）、パケットマーキング部２４０によって低遅延通信パケットのマーキング、低遅延通信用キュー１０２への収容が行われる（ステップＳ４）。
【００２９】
低遅延通信用キュー１０２に収容された低遅延通信パケットは、パケットスケジューリング部２５０によって、パケット監視部２８０に指示された送出レートでパケット送出部２６０に優先的に転送され（ステップＳ５）、パケット送出部２６０がユーザ端末１に対して低遅延通信パケットを送信する（ステップＳ６）。
【００３０】
リソース占有量測定部２７１と遅延時間測定部２７２、パケットロス率測定部２７３は、低遅延通信用キュー１０２へのパケット入力と出力からリソース占有量と遅延時間、パケットロス率を算出し、計算結果をパケット監視部２８０にフィードバックする（ステップＳ７）。パケット監視部２８０は、送られてきた計算結果から使用していない無線区間のリソースを算出し（ステップＳ８）、そのリソースをＢＥ通信に割り当てられるように、パケット廃棄部２３０とパケットスケジューリング部２５０にＢＥ通信パケットの廃棄率と送出レートを指示する（ステップＳ９）。パケット廃棄部２３０及びパケットスケジューリング部２５０は、パケット監視部２８０からの指示に従い、それぞれパケットの廃棄率、送出レートを変更する（ステップＳ１０）。
【００３１】
前記ステップＳ８及びＳ９におけるパケット監視部２８０の動作の詳細について説明する。図６に示すように、パケット監視部２８０は、リソース占有量測定部２７１から低遅延通信パケットの無線区間のリソース占有量を受領すると（ステップＳ２１）、ＢＥ通信パケットに使用できる無線区間のリソースがあるか否かを判定する（ステップＳ２２）。リソースがある場合、パケット監視部２８０は、ＢＥ通信パケットに新たに割り当て可能な無線区間のリソースを考慮したパケット廃棄率と送出レートを、パケット廃棄部２３０とパケットスケジューリング部２５０に指示する（ステップＳ２３）。リソースがない場合、処理を終了する。
【００３２】
また、パケット監視部２８０は、遅延時間測定部２７２から低遅延通信用キュー１０２の遅延時間を受領すると（ステップＳ３１）、当該遅延時間が要求される遅延時間以下であるか否かを判定する（ステップＳ３２）。そして測定した遅延時間が要求される遅延時間以下の場合、パケット監視部２８０は、前述のステップＳ２３の処理を行う。一方、測定した遅延時間が要求される遅延時間より大きい場合、パケット監視部２８０は、要求される遅延時間・パケットロス率を達成するパケット流量となるようパケット廃棄部２３０にパケットの廃棄を指示する（ステップＳ３３）。
【００３３】
また、パケット監視部２８０は、パケットロス率測定部２７３から低遅延通信用キュー１０２のパケットロス率を受領すると（ステップＳ４１）、当該パケットロス率が要求されるパケットロス率以下であるかを判定する（ステップＳ４２）。そして測定したパケットロス率が要求されるパケットロス率以下の場合、パケット監視部２８０は、前述のステップＳ２３の処理を行う。一方、測定したパケットロス率が要求されるパケットロス率より大きい場合、パケット監視部２８０は、前述のステップＳ３３の処理を行う。
【００３４】
以上により、パケット監視部２８０が低遅延通信パケットのリソース占有量と遅延時間、パケットロス率をリアルタイムに把握し、把握した情報を基にパケットのポリシングとスケジューリングを実施する役割を果たすため、低遅延通信パケットは常に要求される遅延時間とパケットロス率を達成した状態でサーバ２０からユーザ端末１に送信され、さらに無線区間のリソースを未使用状態で放置せずにＢＥ通信パケットに割り当てて使用されている状態を実現できる。
【００３５】
このように本実施の形態によれば、基地局１０内にＢＥ通信用のキュー１０１と低遅延通信用のキュー１０２を具備し、ＤｉｆｆＳｅｒｖの仕組みを利用しているので、ユーザ端末１とデータを送受信する基地局１０内でＢＥ通信パケット量が増加した場合に生じうるパケットキューイングによる遅延時間を回避して、低遅延通信を継続的に実施できる。また、低遅延通信用キュー１０２から送出されるパケットが占有する無線区間のリソース量と遅延時間、パケットロス率をリアルタイムに監視し、その結果をポリシングおよびスケジューリングにフィードバックしているので、ＢＥ通信に割り当てる無線区間のリソースをリアルタイムに変化させることを可能にする。これにより、低遅延通信パケットの優先制御システムが導入された場合においても、無線区間のリソース利用効率を低下させずに、低遅延通信とＢＥ通信を両立できる。ＢＥ通信に対する無線区間のリソース割り当てのリアルタイム制御により、無線区間のリソース利用効率の低下の課題を克服する。
【００３６】
以上、本発明の一実施の形態について詳述したが本発明はこれに限定されるものではない。例えば上記実施の形態では、説明の簡単のため、受信パケットをＢＥ通信パケットと低遅延通信パケットとの２つにクラス分けしていたが、ＢＥ通信や低遅延通信のそれぞれにおいて、さらに細かいクラス分けを行うようにしてもよい。これにより、更にきめ細かな優先制御が可能となる。
【符号の説明】
【００３７】
１…ユーザ端末
１０…基地局
２０…サーバ
１０１…BE通信用キュー
１０２…低遅延通信用キュー
１１０…クラシファイア
１２０…メーター
１３０…ポリサー／マーカー
１４０…スケジューラー
２１０…パケット受信部
２２０…パケット分類部
２３０…パケット廃棄部
２４０…パケットマーキング部
２５０…パケットスケジューリング部
２６０…パケット送出部
２７１…リソース占有量測定部
２７２…遅延時間測定部
２７３…パケットロス率測定部
２８０…パケット監視部
【図１】
2018067753.tif 000003
【図２】
2018067753.tif 000004
【図３】
2018067753.tif 000005
【図４】
2018067753.tif 000006
【図５】
2018067753.tif 000007
【図６】
2018067753.tif 000008